(57)【要約】【課題】ワイヤーの取付位置を工夫して、皮膚にダメージを与えることを回避する。【解決手段】多孔質の柔らかい素材から成る柔和部（１０Ａ，１０Ｂ）と柔和部（１０Ａ，１０Ｂ）の表面を覆う被覆部（１０Ｃ，１０Ｄ）とをそれぞれ有する内側カップ部と外側カップ部とが、柔和部（１０Ａ，１０Ｂ）間にワイヤー（９０）が配置された状態で接続されているワイヤー付きブラジャー（１００）を提供する。
2016006533.tif 000002
【特許請求の範囲】
【請求項１】
多孔質の柔らかい素材から成る柔和部と前記柔和部の表面を覆う被覆部とをそれぞれ有する内側カップ部と外側カップ部とが、前記柔和部間にワイヤーが配置された状態で接続されている下着。
【請求項２】
前記ワイヤーは、前記内側カップ部の柔和部に取り付けられている、請求項１記載の下着。
【請求項３】
前記ワイヤーは、当該ワイヤーのいずれの箇所においても、前記柔和部の下端から０．５ｃｍ〜１．５ｃｍ程度の上側となる位置に取り付けられている、請求項１記載の下着。
【請求項４】
前記ワイヤーの取り付け位置は、前記内側カップ部の柔和部において、その周辺に比して厚みを有している箇所である、請求項１記載の下着。
【請求項５】
前記ワイヤーの少なくとも両端は、自由端とされている、請求項１記載の下着。
【発明の詳細な説明】
【技術分野】
【０００１】
本発明は、下着に関し、特に、ワイヤー入りブラジャーなどの女性用下着に関する。
【背景技術】
【０００２】
特許文献１には、ワイヤー入りブラジャーのワイヤーによる傷害の発生を防止するワイヤー入りブラジャーが開示されている。このワイヤー入りブラジャーは、ブラジャーのカップ部のカップ立ち上がり部の下部周辺のアンダーバストに乳房形状を補整するワイヤーを内蔵する形状補整機能を有するものであり、ワイヤーはブラジャーの脇側のカップ立ち上がり部からカップ部の下部のカップ立ち上がり部へアンダーバストの形状に沿って曲在する折り返し前の補整ワイヤーと、カップ部の下部のカップ立ち上がり部の最下端部の手前で脇側ベルト方向へ折り返し、バンド部の下端から脇側のベルト方向に延びて内在されて縫い込まれている。
【特許文献１】特開２０００−３１４００８号公報
【発明の開示】
【発明が解決しようとする課題】
【０００３】
しかし、特許文献１に開示されている発明は、ブラジャーのカップ部のカップ立ち上がり部の下部周辺、すなわち、いわゆるバージスラインにワイヤーが取り付けられているため、ワイヤーの硬さで皮膚にダメージを与えることがある。【０００４】
そこで、本発明は、ワイヤーの取付位置を工夫して、皮膚にダメージを与えることを回避することを課題とする。
【課題を解決するための手段】
【０００５】
上記課題を解決するために、本発明の下着は、
多孔質の柔らかい素材から成る柔和部と前記柔和部の表面を覆う被覆部とをそれぞれ有する内側カップ部と外側カップ部とが、前記柔和部間にワイヤーが配置された状態で前記被覆部を通じて接続されている。【０００６】
前記ワイヤーは、前記内側カップ部の柔和部に取り付けるとよい。具体的には、各カップ部の大きさにもよるが、ワイヤーのいずれの箇所においても、柔和部の下端から０．５ｃｍ〜１．５ｃｍ程度の上側となる位置に取り付けるとよい。また、ワイヤーの取り付け位置は、前記内側カップ部の柔和部において、その周辺に比して厚みを有している箇所とすることもできる。
【発明を実施するための形態】
【０００７】
以下、本発明の実施形態について、図面を参照して説明する。
【０００８】
図１は、本発明の実施形態のワイヤー入りブラジャー１００の模式図である。図１に示すブラジャー１００は、以下説明する、カップ部１０と、連結部２０と、バンド部３０と、ストラップ４０と、調整部５０と、ホック部６０と、受け部７０と、ホック受け７５と、を備える。
【０００９】
カップ部１０は、左右の乳房を支え、補正するものである。カップ部１０は、両乳房に対応する形状をしている。また、図２を用いて後述するように、カップ部１０には、ワイヤー９０（図２）が所望の位置に取り付けられている。カップ部１０には、レースやフリルなどの装飾が施された布が縫い合わされることがある。
【００１０】
連結部２０は、カップ部１０の下側に位置していて、カップ部１０を相互に連結を保持するものである。連結部２０は、これに限定されるものではないが、布製とすることができる。なお、カップ付きキャミソールなど、下着の種類によっては、連結部２０を設けることは必須ではない点に留意されたい。
【００１１】
バンド部３０は、カップ部１０の外側に位置していて、ワイヤー入りブラジャー１００全体を固定するものである。バンド部３０は、下着の装着時に、その内側が装着者の脇の下周辺から背中にかけて接触する。バンド部３０は、これに限定されるものではないが、ポリウレタン弾性繊維などのストレッチ素材製とすることができる。なお、シリコン素材などの粘着層を有するタイプのブラジャーなど、下着の種類によっては、バンド部３０を設けることは必須ではない点に留意されたい。換言すると、本明細書における「下着」には、連結部２０、バンド部３０が設けられていないカップ部１０単体も含むものとする。
【００１２】
ストラップ４０は、カップ部１０におけるバンド部３０側と、バンド部３０の上側とに一体的に取り付けられていて、カップ部１０の左右端から斜めに伸びる、ゴム製などの肩紐である。ストラップ４０には、その長さを調節する調整部５０が設けられていて、バンド部３０の端部と繋がっている。
【００１３】
ホック部６０は、バンド部３０を相互に連結するための図示しないホックが設けられているものである。受け部７０は、ホック部６０のホックが係止されるホック受け７５が設けられているものである。ホック部６０と受け部７０とは、ホックとホック受け７５とを通じて、装着者の背中で留められる。
【００１４】
図２（ａ）は、図１に示すカップ部１０の断面図である。図２（ｂ）及び図２（ｃ）は、図２（ａ）に示すカップ部１０を構成する外側カップ部及び内側カップ部を示す図である。図２（ａ）等には、以下説明する、柔和部１０Ａ，１０Ｂと、被覆部１０Ｃ，１０Ｄと、縫代部８０Ａ，８０Ｂと、ワイヤー９０と、を示している。
【００１５】
柔和部１０Ａ，１０Ｂは、ウレタン・スポンジ・ナイロン・ポリウレタン等からなる多孔質の柔らかい素材から成る。柔和部１０Ｂには、図３を用いて後述するように、スチールなどの金属又は耐熱樹脂等からなるワイヤー９０が、例えばニットなどからなるパイプ状の３つのテープ部９５（図３）を通じて、取り付けられる。なお、図３（ｃ）に示すように、柔和部１０Ｂのうち、ワイヤー９０の取り付け位置に対応する箇所は、その周辺箇所よりも厚みを設けることもできる。
【００１６】
被覆部１０Ｃ，１０Ｄは、柔和部１０Ａ，１０Ｂの表面を覆うポリエステル・ウレタン・ポリウレタン・ポリエステル天竺等からなるものである。被覆部１０Ｃ，１０Ｄと柔和部１０Ａ，１０Ｂとは、これに限定されるものではないが、相互に位置合わせされた状態で熱圧着により、或いは、粘着層などを介して接続される。こうして、柔和部１０Ａ，１０Ｂは、それぞれ、被覆部１０Ｃ，１０Ｄによってラミネートされる。
【００１７】
縫代部８０Ａ，８０Ｂは、柔和部１０Ａ，１０Ｂの下部に位置していて図１に示した連結部２０と縫い合わせるための部分である。従来のワイヤー入りブラジャーの場合、縫代部８０Ａ，８０Ｂに、選択的に１本のテープ部などによって被覆されたワイヤーが取り付けられる。
【００１８】
図３は、図２（ｂ）に示す内側カップ部を柔和部１０Ｂ側から見た図である。図３には、既述の柔和部１０Ｂ、縫代部８０Ｂ及びワイヤー９０に加えて、ワイヤー９０を柔和部１０Ｂに連結するためのパイプ状の３つのテープ部９５を示している。ここでは、３つのテープ部９５を示しているが、カップ部１０が大きくなるにつれて、テープ部９５の数を増やしてもよいし、ワイヤー９０の全てを覆う１つのテープ部９５を用いてもよい。なお、一例をあげると、各テープ部９５のサイズは、長さ３ｃｍ程度、幅１ｃｍ程度とすればよい。
【００１９】
テープ部９５は、被覆部１０Ｃ，１０Ｄと柔和部１０Ａ，１０Ｂとを熱圧着によって接続する場合には、柔和部１０Ａ，１０Ｂとの間でも熱圧着によって連結できるように、その表面が、溶解する素材による表面処理がされている。
【００２０】
また、この場合には、ワイヤー９０のうちテープ部９５と接触していない部分は、柔和部１０Ａ，１０Ｂとの熱圧着時に、柔和部１０Ａ，１０Ｂの表面が溶解することで、柔和部１０Ａ，１０Ｂに接続される。一方、ワイヤー９０のうちテープ部９５と接触している部分は、テープ部９５内で接着されておらず、したがって、ワイヤー９０の両端は、自由端となっている。
【００２１】
ワイヤー９０は、その両端が丸みを帯びるように加工してある。また、ワイヤー９０の位置は、例えばＡカップ用のブラジャーの場合、ワイヤー９０のいずれの箇所においても、柔和部１０Ｂの下端より０．５ｃｍ〜１．５ｃｍ（例えば、１．０ｃｍ）の位置となるようにしている。また、ワイヤー９０の両端は、それぞれ、柔和部１０Ｂの端面から０．５〜１．２ｃｍ（例えば、０．８ｃｍ）となるようにしている。
【００２２】
例えばＢカップ用〜Ｄカップ用のブラジャーの場合にも、ワイヤー９０のいずれの箇所においても、柔和部１０Ｂの下端より０．５ｃｍ〜１．５ｃｍ（例えば、１．０ｃｍ）の位置となるようにしている。また、ワイヤー９０の両端は、それぞれ、Ｂカップ用のブラジャーの場合には柔和部１０Ｂの端面から０．８〜１．４ｃｍ（例えば、１．０ｃｍ）、Ｃカップ用のブラジャーの場合には柔和部１０Ｂの端面から０．９〜１．５ｃｍ（例えば、１．１ｃｍ）、Ｄカップ用のブラジャーの場合には柔和部１０Ｂの端面から１．０〜１．６ｃｍ（例えば、１．２ｃｍ）となるようにしている。
【００２３】
つぎに、本実施形態のワイヤー入りブラジャー１００の製造方法について説明する。まず、内側カップ部を構成する被覆部１０Ｄによってラミネートされた柔和部１０Ｂを既知の圧着装置に装着して、１回目の型押しをする。１回目の型押しの条件は、例えば、６０秒〜１２０秒程度（例えば１００秒）の時間、被覆部１０Ｄ側を約１８０℃〜２２０℃程度（例えば２００℃）、柔和部１０Ｂ側を約１７０℃〜２１０℃程度（例えば１９０℃）の温度とすればよい。これにより、被覆部１０Ｄによってラミネートされた柔和部１０Ｂが変形して内側カップ部が完成する。
【００２４】
つづいて、これを圧着装置から取り外し、柔和部１０Ｂに対して、テープ部９５に通されたワイヤー９０を位置合わせした状態で接着剤等によって接続する。なお、テープ部９５は、予め図３に示したように、複数用意してから、ワイヤー９０に通してもよいし、長いテープ部９５を用意して、そこにワイヤー９０の全てを通した状態で、図３に示すような３つのテープ部９５が残るように余分な箇所をカットしてもよい。
【００２５】
さらに、内側カップ部のワイヤー９０の接続面を、外側カップ部となる被覆部１０Ｃによってラミネートされた柔和部１０Ａの接続面に対向させて重ね合わせた状態で、２回目の型押しをする。２回目の型押しの条件は、例えば、９０秒〜２５０秒程度（例えば２００秒）の時間、被覆部１０Ｃ側を約１８０℃〜２２０℃程度（例えば２００℃）、被覆部１０Ｄ側を約１７０℃〜２１０℃程度（例えば１９０℃）の温度とすればよい。
【００２６】
これにより、内側カップ部と外側カップ部とが熱圧着によって接続され、かつ、テープ部９５及びワイヤー９０のうちテープ部９５と接触していない部分が、柔和部１０Ａ，１０Ｂの表面又は接着剤が溶解することによって、これらにそれぞれ熱圧着される。
【００２７】
こうして、カップ部１０が完成する。そして、カップ部１０と連結部２０等とを適宜縫い合わすことによって、図１に示すワイヤー入りブラジャー１００が完成する。
【００２８】
ここで、従来のワイヤー入りブラジャーは、既述のように、選択的に１つのテープ部などによって被覆されたワイヤーが取り付けられるが、たとえワイヤーをテープ部などによって被覆したとしても、通常、テープ部の厚さ及び縫代部の厚さは限定的である。
【００２９】
このため、ワイヤーの端部であったり、中央部だったりが、装着者の肌に強く押し付けられ、さらに装着者の動きなどにより、当該部分が擦れたりすることもあるので、装着者の肌にダメージを与えることがある。特に、テープ部を備えないタイプのワイヤー入りブラジャーの場合には、肌への一層のダメージを与えることがある。
【００３０】
これに対して、本実施形態のワイヤー入りブラジャー１００は、ワイヤー９０を柔和部１０Ｂに取り付けており、柔和部１０Ｂは、図２（ｃ）に示すように、相対的に厚みがあり、しかも、ウレタン・スポンジ・ナイロン・ポリウレタン等からなる多孔質の柔らかい素材から成るので、そもそも、ワイヤー９０の端部であったり、中央部だったりが、装着者の肌に強く押し付けられることはないため、装着者への肌のダメージはない。
【００３１】
図４は、本実施形態のワイヤー入りブラジャー１００の装着者に対して行った衣服圧測定装置による圧力測定結果を示す図である。この圧力測定は、東京都立産業技術センターにて、伊藤超短波株式会社製の組織硬度計「ＯＥ −２２０」、株式会社エイエムアイ・テクノ製の衣服圧測定装置「ＡＭＩ −３０３７」、及び、株式会社エイエムアイ・テクノ製の直径２０ｍｍサイズのエアパックセンサ「エアパック方式Ｉ型」を用いて行った。
【００３２】
また、この実験の被験者は、２０代女性１名、３０代女性１名、４０代女性１名、５０代女性１名とし、各人、合計４回の測定を行った。圧力測定位置は、これらの各被験者がワイヤー入りブラジャー１００を装着した状態における、
測定位置（１）ワイヤー入りブラジャー１００のワイヤー９０の端部付近、
測定位置（２）ワイヤー入りブラジャー１００のバージスライン下部付近、
測定位置（３）ワイヤー入りブラジャー１００のバージスライン側部付近、
とした。
【００３３】
なお、比較のため、上記各被験者が従来のワイヤー入りブラジャーを装着した状態において、上記各測定位置（１）〜（３）と同様の位置でも、圧力測定を行った。
【００３４】
図４に示すように、「測定位置（１）」においては、総じてみても、平均をみても、本実施形態のワイヤー入りブラジャー１００よりも、従来のワイヤー入りブラジャーの測定値が高い傾向にある。ただし、これらの測定値は、あまり大きな相違ではないが、それでも、平均でみると、「測定位置（１）」においては、本実施形態のワイヤー入りブラジャー１００の圧力が、約５％の着圧が軽減していることがわかる。
【００３５】
また、「測定位置（２）」においては、総じてみても、平均をみても、本実施形態のワイヤー入りブラジャー１００よりも、従来のワイヤー入りブラジャーの測定値がより高い傾向にある。平均でみると、「測定位置（２）」においては、本実施形態のワイヤー入りブラジャー１００の圧力が、約７４％の着圧の軽減といった驚くべき実験結果となった。
【００３６】
さらに、「測定位置（３）」においては、総じてみても、平均をみても、本実施形態のワイヤー入りブラジャー１００よりも、従来のワイヤー入りブラジャーの測定値が非常に高い傾向にある。平均でみると、「測定位置（３）」においては、本実施形態のワイヤー入りブラジャー１００の圧力が、約８８％の着圧の軽減といった驚くべき実験結果となった。
【００３７】
なお、本実施形態では、ブラジャー１００への適用例で説明したが、本発明は、ブラジャーのカップ部分を含む各種下着、例えば、カップ付き又はブラジャー付きキャミソール、カップ付き又はブラジャー付きスリップ、カップ付き又はブラジャー付きタンクトップ、カップ付き又はブラジャー付きボディスーツ、カップ付き又はブラジャー付きボディシェイパー、カップ付き又はブラジャー付きインナー、カップ付き又はブラジャー付きトップス、水着などにも適用することができる。
【００３８】
また、ブラジャーの種類としても、図１には、いわゆる３／４カップブラジャーの例を示したが、これに限定されるものではなく、例えば、スポーツタイプ、チューブトップタイプ、シリコン素材などの粘着層を有するタイプなど、様々なタイプのものにつき、適用することができる。
【図面の簡単な説明】
【００３９】
【図１】本発明の実施形態のワイヤー入りブラジャー１００の模式図である。
【図２】図１に示すカップ部１０の断面及びカップ部１０を構成する外側カップ部及び内側カップ部を示す図である。
【図３】図２示す内側カップ部を柔和部１０Ｂ側から見た図である。
【図４】本実施形態のワイヤー入りブラジャー１００の装着者に対して行った衣服圧測定装置による圧力測定結果を示す図である。
【符号の説明】
【００４０】
１０  カップ部
１０Ａ，１０Ｂ  柔和部
１０Ｃ，１０Ｄ  被覆部
２０  連結部
３０  バンド部
４０  ストラップ
５０  調整部
６０  ホック部
７０  受け部
７５  ホック受け
８０Ａ，８０Ｂ  縫代部
９０  ワイヤー
９５  テープ部
１００  ブラジャー
【図１】
2016006533.tif 000003
【図２】
2016006533.tif 000004
【図３】
2016006533.tif 000005
【図４】
2016006533.tif 000006
【国際調査報告】
2016006533.tif 000007
2016006533.tif 000008
2016006533.tif 000009
2016006533.tif 000010